(57)【特許請求の範囲】
【請求項１】
遊戯用のブローバックガスガンにおける圧縮ガスの放出通路の上方に設けられたシリンダの前方内部であって、発射前の弾丸を着座するチャンバに連通する内周に沿って筒形のスイッチケースが固定され、該スイッチケースの内部通路の後方側に形成された円形の栓口に対面して密着する球面を有するスイッチが設けられると共に、スイッチケースの内部通路にはスイッチを後方側に付勢するスイッチスプリングが設けられ、スイッチケースの放出通路側の上部に開放部が形成されると共に、開放部の下部が放出通路側からの圧縮ガスの流入を遮断する閉塞部を有する構成により、放出通路を経てシリンダに流入する圧縮ガスがスイッチケースの外方を回って上方の開放部から栓口方向へ流入するようにしたことを特徴とするブローバックガスガン。
【請求項２】
スイッチケースの閉塞部の後端にはスイッチが後方側へ移動する際のストッパとして機能する内周突起が形成されていることを特徴とする請求項１記載のブローバックガスガン。
【請求項３】
スイッチケースの閉塞部の後端の外側に沿ってスイッチが後方側へ移動する際のストッパとして機能するピンが設けられていることを特徴とする請求項１又は２記載のブローバックガスガン。
【発明の詳細な説明】
【技術分野】
【０００１】
本発明は、遊戯用のブローバックガスガンに使用するエアースイッチを改良してなるブローバックガスガンに関する。
【背景技術】
【０００２】
従来から、ＢＢ弾を圧縮ガスによって発射するようにした遊戯用ガスガンが開発されている。また、そのガスガンの中でも、実銃に近い使用感を得られる遊戯用ガスガンとして、特許文献１に記載されているブローバックガスガンが周知である。
【０００３】
このようなブローバックガスガンは、ハンマ等でガス放出バルブの後端を叩くことによってガス通路を開放した後、放出した圧縮ガスを弾丸の噴射に使用するか、又はスライドのブローバッグ動作に使用するかを切り替えるエアースイッチ構造を備えるものである。
【０００４】
このようなブローバックガスガンに対して、従来から、スライドを移動させない固定式のエアーガンが周知であるが、この固定式のエアーガンに対して、ブローバックガスガンは、エアースイッチにおける圧縮ガスの漏洩という問題があり、圧縮ガスの使用効率の点では難点があった。
【０００５】
そこで、従来のブローバックガスガンに使用されているエアースイッチについて図面を参照しながら説明する。図１０に示すように、圧縮ガスの放出通路４０の上方に設けられたシリンダ４１の前方内部には、その前方の発射前の弾丸を着座するチャンバ４２（図１１参照）に連通する連通路４３が形成され、その後方には連通路４３よりも内径をやや拡大したバネ室４４が形成されている。そして、このバネ室４４にスイッチスプリング４５が収納され、バネ室４４から後方に円形の栓口４６を介してバネ室４４よりも内径をやや拡大したスイッチ収納室４７が形成され、その後方がシリンダ４１のピストン収納室４９（図１１参照）に至る構成とされている。また、スイッチ収納室４７の下方は放出通路４０に連通する放出口５０が形成されている。
【０００６】
上記のスイッチ収納室４７に収納されたスイッチ５１は、図１０において縦断面形状に図示してあるが、実際の形状は、円形の栓口４６を開閉する円錐形部の前方側にスイッチスプリング４５内を移動するガイド部５１ａが形成されている。また、スイッチ５１の円錐形部の外周溝部にはＯリング５１ｂが嵌め込まれ、このＯリング５１ｂが放出口５０から上方へ放出された圧縮ガスのガス圧力を受けてスイッチスプリング４５の弾性力に抗し、スイッチ５１を前方に押圧することにより栓口４６を閉塞する構成とされている。
【０００７】
なお、スイッチ収納室４７には、その後部を横断するピン４７ａが設けられ、スイッチスプリング４５で後方へ付勢されたスイッチ５１をピン４７ａで停止するようにしている。
【０００８】
上記の構成により、図１１に示すように、トリガ５２を引くことによってハンマ５３が不図示のハンマスプリングの弾性力によって倒れると、ハンマ５３の叩打によってバルブハンマピース５４が前方へ押され、これによってガス放出バルブ５５が押し込まれる。このとき、ガス放出バルブ５５はバルブスプリング５６の弾発力に抗して前方へ移動することにより開放し、その下方に設けられたガスボンベ５７から供給される圧縮ガスを放出通路４０へ放出した後、圧縮ガスは放出口５０を経てシリンダ４１内へと流入する。
【０００９】
次いで、シリンダ４１内に流入した圧縮ガスによってピストン４８が後方へ移動を開始すると同時に、シリンダ４１に固定されたスライド５８が後方へ移動を開始する。このとき、シリンダ４１の前方のスイッチ収納室４７においては、スイッチスプリング４５の弾性力によって栓口４６からスイッチ５１が開放された状態にあり、この栓口４６の隙間から流入した圧縮ガスがチャンバ４２に着座した弾丸Ｂを前方へ移動する。その後、ガスボンベ５７から供給される圧縮ガスがシリンダ４１内に充満することによってスイッチ５１が後方から押圧され、図１２に示すようにスイッチ５１が栓口４６を閉塞する。
【００１０】
しかしながら、このとき、ガスボンベ５７から供給される圧縮ガスは放出口５０から上方へ吹き上げられ、この圧縮ガスがスイッチ５１の側方を下方から上方へ押圧するため、栓口４６に密着すべきスイッチ５１が栓口４６との間に隙間を生じて圧縮ガスの漏洩を生じさせることになる。
【００１１】
このようにして、エアースイッチ６０における圧縮ガスの漏洩という問題が発生するが、さらに従来のエアースイッチ６０の構造においては、上記のようにスイッチ５１がその下方の放出口５０に開放されているため、放出口５０の下方の放出通路４０から細身の道具を利用することによって、悪意でエアースイッチ６０が改良されるおそれがあった。
【先行技術文献】
【特許文献】
【００１２】
【特許文献１】特開平８−１３６１８８号公報
【発明の概要】
【発明が解決しようとする課題】
【００１３】
本発明は、上記の事情に鑑みてなされたものであり、遊戯用のブローバックガスガンに使用するエアースイッチからのガスの漏洩をなくして圧縮ガスの使用効率を向上すると共に、エアースイッチの悪意の改良を防止するようにしたブローバックガスガンを提供することを目的とする。
【課題を解決するための手段】
【００１４】
上記の問題を解決するために、本発明における請求項１のブローバックガスガンは、遊戯用のブローバックガスガンにおける圧縮ガスの放出通路の上方に設けられたシリンダの前方内部であって、発射前の弾丸を着座するチャンバに連通する内周に沿って筒形のスイッチケースが固定され、該スイッチケースの内部通路の後方側に形成された円形の栓口に対面して密着する球面を有するスイッチが設けられると共に、スイッチケースの内部通路にはスイッチを後方側に付勢するスイッチスプリングが設けられ、スイッチケースの放出通路側の上部に開放部が形成されると共に、開放部の下部が放出通路側からの圧縮ガスの流入を遮断する閉塞部を有する構成により、放出通路を経てシリンダに流入する圧縮ガスがスイッチケースの外方を回って上方の開放部から栓口方向へ流入するようにしたことを特徴とする。
【００１５】
また、本発明における請求項２のブローバックガスガンは、請求項１において、スイッチケースの閉塞部の後端にはスイッチが後方側へ移動する際のストッパとして機能する内周突起が形成されていることを特徴とする。
【００１６】
さらに、本発明における請求項３のブローバックガスガンは、請求項１又は２において、スイッチケースの閉塞部の後端の外側に沿ってスイッチが後方側へ移動する際のストッパとして機能するピンが設けられていることを特徴とする。
【発明の効果】
【００１７】
本発明のブローバックガスガンによれば、スイッチの形状がスイッチケースの内部通路の後方側に形成された円形の栓口に対面して密着する球面に形成されている。また、スイッチケースの放出通路側の上部に開放部が形成されると共に、開放部の下部が放出通路側からの圧縮ガスの流入を遮断する閉塞部を有することにより、放出通路を経てシリンダに流入する圧縮ガスがスイッチケースの外方を回って上方の開放部から栓口方向へ流入する構成とされている。
【００１８】
このため、放出通路を経て供給される圧縮ガスは、まずスイッチケースの閉塞部に当たって遮断されるため、スイッチに直接当たることがなく、スイッチケースの閉塞部の外方を回って上方の開放部から栓口方向へ流入し、圧縮ガスの流入圧力が緩和された状態となる。
【００１９】
さらに、スイッチの形状が円形の栓口に対面して密着する球面を有する形状に形成されているため、上方の開放部から流入した圧縮ガスのガス圧によって側方から押圧されたとしても、スイッチの球面が円形の栓口に対面して密着状態に接触するため、圧縮ガスが栓口から漏洩することなく密閉され、圧縮ガスの使用効率が向上することとなる。
【００２０】
さらに、本発明によれば、放出通路の上方にはスイッチケースの閉塞部が設けられているため、放出通路に細身の道具等を挿入したとしても、スイッチケースに収納されたスイッチを改良することは不可能であり、悪意の改良を防止することが可能となる。
【図面の簡単な説明】
【００２１】
【図１】本発明の実施例に係るブローバックガスガンの全体断面図である。
【図２】本発明の実施例に係るブローバックガスガンのエアースイッチとその周辺の要部断面図である。
【図３】本発明の実施例に係るブローバックガスガンのエアースイッチを示す図であり、（ａ）は側面図、(ｂ)は後方側の端面図、(ｃ)は（ａ）のＡ−Ａ矢示線断面図、(ｄ)は（ａ）の縦断面図である。
【図４】本発明の実施例に係るブローバックガスガンのエアースイッチを透視的に描いた全体斜視図である。
【図５】本発明の実施例に係るブローバックガスガンの動作を示す要部断面図である。
【図６】本発明の実施例に係るブローバックガスガンの動作を示す要部断面図である。
【図７】本発明の実施例に係るブローバックガスガンの動作を示す要部断面図である。
【図８】本発明の実施例に係るブローバックガスガンの動作を示す要部断面図である。
【図９】本発明の実施例に係るブローバックガスガンの動作を示す要部断面図である。
【図１０】従来のブローバックガスガンのエアースイッチとその周辺の要部断面図である。
【図１１】従来のブローバックガスガンの動作を示す要部断面図である。
【図１２】従来のブローバックガスガンの動作を示す要部断面図である。
【発明を実施するための形態】
【００２２】
本発明の実施例について図面を参照しながら説明する。
【実施例】
【００２３】
本実施例のブローバックガスガンＧのエアースイッチ１の構造は、図１又は図２に示すように、遊戯用のブローバックガスガンＧにおける圧縮ガスの放出通路２の上方に設けられたシリンダ３の前方内部であって、発射前の弾丸Ｂを着座するチャンバ４に連通する内周に沿ってスイッチケース５を固定した構成としている。
【００２４】
このスイッチケース５は、図２、図３又は図４に示すように、円筒形の形状に形成され、その内部通路の後方側に形成された円形の栓口６に対面して密着する球面を有する形状のスイッチ７が設けられている。このスイッチ７としては、スチールボール、ベアリング、プラスチック製のＢＢ弾等を使用することが可能である。また、図２、図３、図４等において、スイッチ７は球形のものを使用してあるが、円形の栓口６に対面する形状が少なくとも球形の一部をなす球面を備えるものであれば、完全な球形でなくても使用可能である。
【００２５】
また、上記のスイッチケース５の内部通路にはスイッチ７を後方側に付勢するスイッチスプリング８が設けられている。このスイッチスプリング８の一端は、スイッチケース５の前端近傍の内部を横切るように固定されたピン９によって支持された構成とされている。
【００２６】
また、本実施例において、上記のスイッチケース５の栓口６は、図３(ｄ)に示すように、円筒形の外ケース５ａの内部に内ケース５ｂを固定し、内ケース５ｂの後端側を途中で切断した形状によって、スイッチケース５の内ケース５ｂの後端側をスイッチ７の球面が密接する構成としている。
【００２７】
さらに、本実施例において、スイッチケース５の後方、即ち、放出通路２側の上部に開放部１０が形成されると共に、開放部１０の下部が放出通路２側からの圧縮ガスの流入を遮断する閉塞部１１を有する構成としている。本実施例では、このような構成を外ケース５ａの後方側の下部を残して上部を切除することで開放部１０とし、その下部を閉塞部１１としている。
【００２８】
また、閉塞部１１の上部のスイッチ収納室５ｃに球形のスイッチ７を設け、このスイッチ７をスイッチスプリング８の後端で弾性的に支持し、さらにスイッチケース５の閉塞部１１の後端にはスイッチ７が後方側へ移動する際のストッパとして機能する内周突起１２が形成されている。なお、このストッパ機能を有する部材としては、図２に示すように、スイッチケース５の閉塞部１１の後端の外側に沿ってピン１３を固定するようにしても良い。
【００２９】
また、上記の構成において、図２に示すように、スイッチケース５の閉塞部１１の外周に相当するシリンダ３の内周には隙間１４が形成され、放出通路２を経て放出口２３からシリンダ３に流入する圧縮ガスがスイッチケース５の外方の隙間１４を回って上方の開放部１０から流入するようにしている。
【００３０】
ここで、上記のように構成されたブローバックガスガンＧにおける圧縮ガスの供給構造及びその周辺の構造について説明する。図１に示すように、ガン本体１５のグリップ１６内には、圧縮ガスの供給源であるガスボンベ１７を収納するボンベ室１８が設けられ、その前方には弾倉１９が形成されている。
【００３１】
また、ガスボンベ１７の噴出口１７ａの上方からシリンダ３内へと至る放出通路２の途中にはバルブケース２０が固定され、このバルブケース２０には放出通路２を開閉するガス放出バルブ２２が設けられている。このガス放出バルブ２２の開放動作によって圧縮ガスは放出通路２を通過し、さらに上方の放出口２３を経てシリンダ３内に流入する。
【００３２】
上記の構成において、本実施例のブローバックガスガンＧは、図５に示すように、トリガ２４を引くことによってハンマ２１が不図示のハンマスプリングの弾性力によって倒れると、ハンマ２１の叩打によってバルブハンマピース２５が前方へ押され、ガス放出バルブ２２が押し込まれる。このとき、ガス放出バルブ２２はバルブスプリング２２ａの弾発力に抗して前方へ移動し、その下方に設けられたガスボンベ１７から供給される圧縮ガスを放出通路２へ放出した後、圧縮ガスは放出口２３を経てシリンダ３内へと流入する。
【００３３】
次いで、図６に示すように、シリンダ３内に流入した圧縮ガスによってピストン２７が後方へと移動を開始すると同時に、シリンダ３に固定されたスライド２８が後方へ移動を開始する。このとき、シリンダ３の前方のスイッチ収納室５ｃにおいて、スイッチスプリング８の弾性力によって栓口６からスイッチ７が開放され、この栓口６の開放隙間を経て圧縮ガスがチャンバ４に着座した弾丸Ｂを前方へと発射させる。その後、シリンダ３内に圧縮ガスが充満することによって、スイッチスプリング８の弾性力に抗してスイッチ７が後方から押圧され、図７に示すように、スイッチ７が栓口６を閉塞する。
【００３４】
このとき、放出通路２を経て放出口２３からシリンダ３内に放出される圧縮ガスは、まずスイッチケース５の閉塞部１１に当たってスイッチ７への直接的な衝突を遮断し、次いで、スイッチケース５の閉塞部１１の外方を回って上方の開放部１０から栓口６方向へ流入する。また、スイッチケース５における円形の栓口６に対面してスイッチ７の球面が密着状態に接触しているため、圧縮ガスが栓口６から漏洩することなく密閉されることとなる。
【００３５】
さらに、図７に示すように、スイッチ７がスイッチケース５の栓口６を密閉すると、圧縮ガスが抜け出る箇所がなくなるため、圧縮ガスがシリンダ３内に充満することによってシリンダ３内のピストン２７が後方へ押圧され、図８に示すようにスライド２８が一挙に後退を開始する。
【００３６】
このとき、図８に示すように、スライド２８の後退によってハンマ２１が後方へ倒される。これにより、バルブハンマピース２５が後退してガス放出バルブ２２に対する押圧を解除すると、バルブスプリング２０ａの弾発力によってガス放出バルブ２２が後退し、エアー通路２６を閉ざす結果、ガスボンベ１７からの圧縮ガスの供給が遮断される。
【００３７】
そして、上記のように圧縮ガスの供給が遮断された後も、ピストン２７の慣性及びシリンダ３内に残留した圧縮ガスの膨出によりスライド２８は後退し、その一部がシリンダ３の凸部に当たると、シリンダ３と一体となったスライド２８をシリンダ３の所定位置へ戻すように作動する。このとき、ハンマ２１はスライド２８の押圧作用によってシアー２９の保持位置を変えて起こされ、ハンマ２１は所定位置に復帰する。
【００３８】
次いで、図９に示すように、スライド２８がガンフレーム３０に当接するまで後退すると、シリンダ３内の内圧が下がり、エアースイッチ１のスイッチスプリング８の弾性力がシリンダ３内の内圧を上回った時点でエアースイッチ７は後退する。そして、栓口６を再び開放し、スライド２８はスプリング３１の弾性力で前進して、図５に示す元の位置に復帰する。
【００３９】
上記のように、本実施例においては、エアースイッチ１のスイッチ７の動作が放出通路２からの圧縮ガスに影響されず、栓口６を完全に密閉することが可能となるため、エアースイッチ１において圧縮ガスを漏洩することなく、圧縮ガスの使用効率が向上するものとなる。
【００４０】
さらに、本実施例においては、放出通路２の上方にスイッチケース５の閉塞部１１が設けられ、スイッチ７が閉塞された状態とされているため、放出通路２に細身の道具等を挿入したとしても、スイッチケース５に収納されたスイッチ７を改良することは不可能であり、悪意の改良を防止することが可能となる。
【産業上の利用可能性】
【００４１】
本発明のブローバックガスガンは、遊戯用のブローバックガスガンに使用するエアースイッチからのガスの漏洩をなくして圧縮ガスの使用効率を向上すると共に、エアースイッチの悪意の改良を防止するようにしたブローバックガスガンとして利用可能である。
【符号の説明】
【００４２】
１  エアースイッチ
２  放出通路
３  シリンダ
４  チャンバ
５  スイッチケース
５ａ  外ケース
５ｂ  内ケース
５ｃ  スイッチ収納室
６  栓口
７  スイッチ
８  スイッチスプリング
９  ピン
１０  開放部
１１  閉塞部
１２  内周突起
１３  ピン
１４  隙間
１５  ガン本体
１６  グリップ
１７  ガスボンベ
１７ａ  噴出口
１８  ボンベ室
１９  弾倉
２０  バルブケース
２０ａ  バルブスプリング
２１  ハンマ
２２  ガス放出バルブ
２３  放出口
２４  トリガ
２５  バルブハンマピース
２６  エアー通路
２７  ピストン
２８  スライド
２９  シアー
３０  ガンフレーム
３１  スプリング
B  弾丸
G  ブローバックガスガン
【要約】      （修正有）【課題】エアースイッチのガス漏洩をなくして圧縮ガスの使用効率を向上すると共に、エアースイッチの悪意の改良を防止するようにした遊戯用ブローバックガスガンを提供する。【解決手段】圧縮ガスの放出通路２の上方に設けられたシリンダ３の前方内部であって、チャンバに連通する内周に沿って筒形のスイッチケース５が固定され、該スイッチケースの内部通路の後方側に形成された円形の栓口６に対面して密着する球面を有するスイッチ７が設けられると共に、スイッチケースの内部通路にはスイッチを後方側に付勢するスイッチスプリング８が設けられ、スイッチケースの放出通路側の上部に開放部１０が形成されると共に、開放部の下部が放出通路側からの圧縮ガスの流入を遮断する閉塞部１１を有する構成により、放出通路を経てシリンダに流入する圧縮ガスがスイッチケースの外方を回って上方の開放部から栓口方向へ流入するようにした。【選択図】図２【図１】
0005433800.tif 000002
【図２】
0005433800.tif 000003
【図３】
0005433800.tif 000004
【図４】
0005433800.tif 000005
【図５】
0005433800.tif 000006
【図６】
0005433800.tif 000007
【図７】
0005433800.tif 000008
【図８】
0005433800.tif 000009
【図９】
0005433800.tif 000010
【図１０】
0005433800.tif 000011
【図１１】
0005433800.tif 000012
【図１２】
0005433800.tif 000013